(57)【特許請求の範囲】
【請求項１】
仕切り板２０と底繋ぎ板３０と仕切り板２０とを、谷折り線を介して順に連設して、この仕切り板２０・２０の左右辺の下部に、それぞれ繋止突起ａ・ａを設けた贈答箱用の仕切りであって、二重壁式の贈答箱４０の、左右の側面内板４１・４１の下部にそれぞれ設けた前後方向が広幅の繋止切欠きｂ・ｂに、仕切り板２０・２０のそれぞれの繋止突起ａ・ａを挿入して、前後方向にスライド可能に繋止したことを特徴とする贈答箱用の仕切り。
【請求項２】
仕切り板２０と横繋ぎ板３１と仕切り板２０と横繋ぎ板３１と糊代片３２とを、谷折り線を介して順に連設して、この仕切り板２０・２０の左右辺の下部に、それぞれ繋止突起ａ・ａを設けて、この糊代片３２を仕切り板２０の端部に貼着した贈答箱用の仕切りであって、二重壁式の贈答箱４０の、左右の側面内板４１・４１の下部にそれぞれ設けた前後方向が広幅の繋止切欠きｂ・ｂに、仕切り板２０・２０のそれぞれの繋止突起ａ・ａを横繋ぎ板３１・３１とともに挿入して、前後方向にスライド可能に繋止したことを特徴とする贈答箱用の仕切り。
【請求項３】
前記の仕切り板２０・２０の上辺に、左右辺の下部にそれぞれ繋止突起ａ・ａを設けた同形の仕切り板２０・２０を、それぞれ山折り線を介して連設したことを特徴とする、請求項１又は請求項２に記載の贈答箱用の仕切り。
【発明の詳細な説明】
【０００１】
【発明の属する技術分野】
本発明は、菓子・食品缶や調味料・飲料瓶などを収容する二重壁式の贈答箱４０用の、板紙製や段ボール製などの仕切りに関する。
【０００２】
【従来の技術】
従来から、図３に示すような、菓子・食品缶や調味料・飲料瓶などを収容する二重壁式などの贈答箱用の、底繋ぎ板３０と仕切り板２０・２０と底繋ぎ板３０と仕切り板２０・２０と底繋ぎ板３０と仕切り板２０・２０と底繋ぎ板３０とを、それぞれ谷折り線と山折り線とを介して順に連設した、板紙製や段ボール製などの仕切りが、一般に広く用いられている。
【０００３】
【発明が解決しようとする課題】
ところが従来の、図３に示す贈答箱用の仕切りについては、無駄がない長方形状のブランクから成る、組立てなどが簡単で作製費用が廉価な、板紙製や段ボール製などの仕切りであるものの、二重壁式などの贈答箱に繋止・固定されていないために、仕切りが浮き上がって、菓子・食品缶や調味料・飲料瓶などを収容し難い
などの、また収容した菓子・食品缶や調味料・飲料瓶などを確実に保持できないなどの、自立安定性に問題があって、それぞれの底繋ぎ板３０を贈答箱に貼着する必要があるなどの、余分な手間がかかる贈答箱用の仕切りであった。
【０００４】
そこで、本発明の目的は、菓子・食品缶や調味料・飲料瓶などを収容する二重壁式の贈答箱４０用の、組立てなどが簡単で作製費用が廉価な、板紙製や段ボール製などの仕切りであって、二重壁式の贈答箱４０に繋止した、自立安定性が優れた贈答箱用の仕切りを提供することにある。
【０００５】
【課題を解決するための手段】
本発明の贈答箱用の仕切りは、図１に示すように、仕切り板２０と底繋ぎ板３０と仕切り板２０とを、谷折り線（符号がない破線；以下同じ）を介して順に連設して、この仕切り板２０・２０の左右辺の下部（図１Ａでは上下辺の右部又は左部）に、それぞれ繋止突起ａ・ａを設けた贈答箱用の仕切りであって、二重壁式の贈答箱４０の、左右の側面内板４１・４１の下部にそれぞれ設けた前後方向が広幅の繋止切欠きｂ・ｂに、仕切り板２０・２０のそれぞれの繋止突起ａ・ａを挿入して、前後方向にスライド可能に繋止した贈答箱用の仕切りである。
【０００６】
また、本発明の贈答箱用の仕切りは、図２に示すように、仕切り板２０と横繋ぎ板３１と仕切り板２０と横繋ぎ板３１と糊代片３２とを、谷折り線を介して順に連設して、この仕切り板２０・２０の左右辺の下部に、それぞれ繋止突起ａ・ａを設けて、この糊代片３２を仕切り板２０の端部（図２Ａでは左端部）に貼着した贈答箱用の仕切りであって、二重壁式の贈答箱４０の、左右の側面内板４１・４１の下部にそれぞれ設けた前後方向が広幅の繋止切欠きｂ・ｂに、仕切り板２０・２０のそれぞれの繋止突起ａ・ａを横繋ぎ板３１・３１とともに挿入して、前後方向にスライド可能に繋止したことを特徴とする贈答箱用の仕切りである。
【０００７】
【０００８】
加えて、本発明の贈答箱用の仕切りは、図１・図２に示すように、前記の仕切り板２０・２０の上辺（図１Ａでは左辺又は右辺、図２Ａでは上辺）に、左右辺の下部（図１Ａでは上下辺の左部又は右部、図２Ａでは左右辺の上部）にそれぞれ繋止突起ａ・ａを設けた同形の仕切り板２０・２０を、それぞれ山折り線（符号がない１点鎖線；以下同じ）を介して連設した贈答箱用の仕切りである。
【０００９】
【作用】
本発明の贈答箱用の仕切りにおいては、仕切り板２０と底繋ぎ板３０と仕切り板２０とを、谷折り線を介して順に連設して、この仕切り板２０・２０の左右辺の下部に、それぞれ繋止突起ａ・ａを設けたことによって、図１Ｂに示すように、二重壁式の贈答箱４０の、左右の側面内板４１・４１の下部に設けた前後方向が広幅の繋止切欠きｂ・ｂ・ｂ・ｂに、２本の谷折り線を谷折り（表面側が谷になる；以下同じ）するだけで、簡単に仕切り板２０・２０のそれぞれの繋止突起ａ・ａを挿入して、前後方向にスライド可能に繋止できる、二重壁式の贈答箱４０に繋止した、自立安定性が優れた贈答箱用の仕切りを提供することができる。
【００１０】
また、本発明の贈答箱用の仕切りにおいては、仕切り板２０と横繋ぎ板３１と仕切り板２０と横繋ぎ板３１と糊代片３２とを、谷折り線を介して順に連設して、この仕切り板２０・２０の左右辺の下部に、それぞれ繋止突起ａ・ａを設けて、４本の谷折り線を谷折りして、この糊代片３２を仕切り板２０の端部に貼着したことによって、図２Ｂに示すように、二重壁式の贈答箱４０の、左右の側面内板４１・４１の下部に設けた前後方向が広幅の繋止切欠きｂ・ｂに、簡単に仕切り板２０・２０のそれぞれの繋止突起ａ・ａを横繋ぎ板３１・３１とともに挿入して、前後方向にスライド可能に繋止できる、二重壁式の贈答箱４０に繋止した、さらに自立安定性を向上させた贈答箱用の仕切りを提供することができる。
【００１１】
加えて、本発明の贈答箱用の仕切りにおいては、前記の仕切り板２０・２０の上辺に、左右辺の下部にそれぞれ繋止突起ａ・ａを設けた同形の仕切り板２０・２０を、それぞれ山折り線を介して連設したことによって、図１Ｂ・図２Ｂに示すように、二重
壁式の贈答箱４０の、左右の側面内板４１・４１の下部にそれぞれ設けた前後方向が広幅の繋止切欠きｂ・ｂに、２本の山折り線を山折り（表面側が山になる；以下同じ）して、簡単に仕切り板２０・２０・２０・２０のそれぞれの繋止突起ａ・ａを(横繋ぎ板３１・３１とともに)挿入して、前後方向にスライド可能に繋止できる、二重壁式の贈答箱４０に繋止した、緩衝効果が優れた上に体裁（表面側から板紙などの裏面が目視できない）が良い、自立安定性が優れた贈答箱用の仕切りを提供することができる。
【００１２】
【発明の実施の形態】
本発明の贈答箱用の仕切りについては、後述する実施例に示すように、通常の打抜型を用いた打抜工程で、無駄が少ない長方形状のブランクを作製して、二重壁式の贈答箱４０の、左右の側面内板４１・４１の下部にそれぞれ設けた前後方向が広幅の繋止切欠きｂ・ｂに、谷折り線を谷折りするなどして、簡単に仕切り板２０・２０・２０・２０のそれぞれの繋止突起ａ・ａを(横繋ぎ板３１・３１とともに)挿入して、前後方向にスライド可能に繋止できる、組立てなどが簡単で作製費用が廉価な、板紙製や段ボール製などの仕切りを得ることができる。
【００１３】
また本発明の、特に図１に示す贈答箱用の仕切りについては、仕切り板２０と底繋ぎ板３０と仕切り板２０とを、谷折り線を介して順に連設して、この仕切り板２０・２０の左右辺の下部に、それぞれ繋止突起ａ・ａを設けて、また仕切り板２０・２０の上辺に、左右辺の下部にそれぞれ繋止突起ａ・ａを設けた同形の仕切り板２０・２０を、それぞれ山折り線を介して連設した、図１に示す贈答箱用の仕切りに加えて、従来の図３に示す贈答箱用の仕切りと同様に、順次底繋ぎ板３０と同形の仕切り板２０・２０とを、それぞれ谷折り線と山折り線とを介して順に連設することによって、簡単に４本用・５本用・６本用の、二重壁式の贈答箱４０に繋止した、自立安定性が優れた贈答箱用の仕切りを得ることができる。
【００１４】
【実施例】
＜実施例１＞図１Ａは、本発明の実施例１における、贈答箱用の仕切りのブランクの平面図であって、また図１Ｂは、贈答箱用の仕切りと二重壁式の贈答箱４０との斜視図である。
【００１５】
すなわち、仕切り板２０と底繋ぎ板３０と仕切り板２０とを、谷折り線（符号がない破線）を介して順に連設して、この仕切り板２０・２０の左右辺の下部（図１Ａでは上下辺の右部又は左部）に、それぞれ繋止突起ａ・ａを設けて、また仕切り板２０・２０の上辺（図１Ａでは左辺又は右辺）に、左右辺の下部（図１Ａでは上下辺の左部又は右部）にそれぞれ繋止突起ａ・ａを設けた同形の仕切り板２０・２０を、それぞれ山折り線（符号がない１点鎖線）を介して連設した、図１Ａに示す贈答箱用の仕切りのブランクであって、二重壁式の贈答箱４０の左右の側面内板４１・４１と同様の、布地模様を印刷した４００ｇ／ｍ2 のコートボール紙を用いて、通常の打抜型を用いた打抜工程で、中央の収容部の縦・横・深さが８０×１４８×８０ｍｍの、本発明の実施例１における、無駄がない長方形状の贈答箱用の仕切りのブランクを作製した。
【００１６】
次に、図１Ａに示す贈答箱用の仕切りのブランクの、２本の谷折り線を谷折りして、また２本の山折り線を山折りして、３本の粉末コーヒー瓶を収容する、収容部の縦・横・深さが２４５×１５０×８２ｍｍの、図１Ｂに示す二重壁式の贈答箱４０の、左右の側面内板４１・４１の下部に設けた前後方向が広幅の繋止切欠きｂ・ｂ・ｂ・ｂに、図１Ｂに矢印で示すように、仕切り板２０・２０・２０・２０のそれぞれの繋止突起ａ・ａを挿入したところ、簡単に前後方向にスライド可能に繋止できるものであって、本発明の実施例１における、二重壁式の贈答箱４０に繋止した、緩衝効果が優れた上に体裁（表面側からコートボール紙の裏面が目視できない）が良い、自立安定性が優れた贈答箱用の仕切りが得られた。
【００１７】
すなわち、本実施例の贈答箱用の仕切りについては、通常の打抜型を用いた打抜工程で、無駄がない長方形状のブランクを作製して、二重壁式の贈答箱４０の、左右の側面内板４１・４１の下部に設けた前後方向が広幅の繋止切欠きｂ・ｂ・ｂ・ｂに、２本の谷折り線を谷折りして、また２本の山折り線を山折りして、簡単に仕切り板２０・２
０・２０・２０のそれぞれの繋止突起ａ・ａを挿入して、前後方向にスライド可能に繋止できる、組立てなどが簡単で作製費用が廉価な、コートボール紙製の仕切りであって、二重壁式の贈答箱４０に繋止した、緩衝効果が優れた上に体裁が良い、自立安定性が優れた贈答箱用の仕切りを得ることができた。
【００１８】
また、本実施例の贈答箱用の仕切りについては、図１Ｂに示すように、二重壁式の贈答箱４０の左右の側面内板４１・４１の下部に、前後方向が広幅の繋止切欠きｂ・ｂ・ｂ・ｂを設けたことによって、それぞれの繋止突起ａ・ａを挿入して、前後方向にスライド可能に繋止した仕切り板２０・２０・２０・２０を、前後方向に適宜スライドさせながら３本の粉末コーヒー瓶を収容できる、粉末コーヒー瓶などの収容作業が容易な贈答箱用の仕切りを得ることができた。
【００１９】
なお図４は、本発明の実施例１における、３本の粉末コーヒー瓶を収容する二重壁式の贈答箱４０の、ブランクの一例を示す平面図である。
【００２０】
＜実施例２＞図２Ａは、本発明の実施例２における、贈答箱用の仕切りのブランクの平面図であって、また図２Ｂは、贈答箱用の仕切りと二重壁式の贈答箱４０との斜視図である。
【００２１】
すなわち、仕切り板２０と横繋ぎ板３１と仕切り板２０と横繋ぎ板３１と糊代片３２とを、谷折り線（符号がない破線）を介して順に連設して、この仕切り板２０・２０の左右辺の下部に、それぞれ繋止突起ａ・ａを設けて、また仕切り板２０・２０の上辺に、左右辺の下部（図２Ａでは左右辺の上部）にそれぞれ繋止突起ａ・ａを設けた同形の仕切り板２０・２０を、それぞれ山折り線（符号がない１点鎖線）を介して連設した、図２Ａに示す贈答箱用の仕切りのブランクであって、実施例１と同様の布地模様を印刷した４００ｇ／ｍ2 のコートボール紙を用いて、通常の打抜型を用いた打抜工程で、中央の収容部の縦・横・深さが８０×１４８×８０ｍｍの、本発明の実施例２における、無駄が少ない長方形状の贈答箱用の仕切りのブランクを作製した。
【００２２】
次に、図２Ａに示す贈答箱用の仕切りのブランクの、４本の谷折り線を谷折りして、糊代片３２を仕切り板２０の端部（図２Ａでは左端部）に機械的に貼着した後に、２本の山折り線を山折りして、実施例１と同様の３本の粉末コーヒー瓶を収容する、収容部の縦・横・深さが２４５×１５０×８２ｍｍの、図２Ｂに示す二重壁式の贈答箱４０の、左右の側面内板４１・４１の下部に設けた前後方向が広幅の繋止切欠きｂ・ｂに、図２Ｂに矢印で示すように、仕切り板２０・２０・２０・２０のそれぞれの繋止突起ａ・ａを横繋ぎ板３１・３１とともに挿入したところ、実施例１と同様に簡単に前後方向にスライド可能に繋止できるものであって、本発明の実施例２における、二重壁式の贈答箱４０に繋止した、実施例１と同様に緩衝効果が優れた上に体裁が良い、さらに自立安定性を向上させた贈答箱用の仕切りが得られた。
【００２３】
すなわち、本実施例の贈答箱用の仕切りについては、通常の打抜型を用いた打抜工程で、無駄が少ない長方形状のブランクを作製して、二重壁式の贈答箱４０の、左右の側面内板４１・４１の下部に設けた前後方向が広幅の繋止切欠きｂ・ｂに、４本の谷折り線を谷折りして、糊代片３２を仕切り板２０の端部に機械的に貼着した後に、２本の山折り線を山折りして、簡単に仕切り板２０・２０・２０・２０のそれぞれの繋止突起ａ・ａを横繋ぎ板３１・３１とともに挿入して、前後方向にスライド可能に繋止できる、実施例１と同様に組立てなどが簡単で作製費用が廉価な、コートボール紙製の仕切りであって、二重壁式の贈答箱４０に繋止した、実施例１と同様に緩衝効果が優れた上に体裁が良い、さらに自立安定性を向上させた贈答箱用の仕切りを得ることができた。
【００２４】
また、本実施例の贈答箱用の仕切りについては、図２Ｂに示すように、二重壁式の贈答箱４０の左右の側面内板４１・４１の下部に、前後方向が広幅の繋止切欠きｂ・ｂを設けたことによって、それぞれの繋止突起ａ・ａを横繋ぎ板３１・３１とともに挿入して、前後方向にスライド可能に繋止した仕切り板２０・２０・２０・２０を、前後方向に適宜スライドさせながら３本の粉末コーヒー瓶を収容できる、実施例１と同様の粉末コーヒー瓶などの収容作業が容易な贈答箱用の仕切りを得ることができた。
【００２５】
【発明の効果】
以上、作用及び実施例に示すとおり、本発明の贈答箱用の仕切りにおいては、仕切り板と底繋ぎ板と仕切り板とを、また仕切り板と横繋ぎ板と仕切り板と横繋ぎ板と糊代片とを、それぞれ谷折り線を介して順に連設して、これらの仕切り板の左右辺の下部に、それぞれ繋止突起を設けたことによって、また仕切り板の上辺に、左右辺の下部にそれぞれ繋止突起を設けた同形の仕切り板を、それぞれ山折り線を介して連設したことによって、二重壁式の贈答箱の、左右の側面内板の下部に設けた前後方向が広幅の繋止切欠きに、谷折り線を谷折りするなどして、簡単に仕切り板のそれぞれの繋止突起を挿入して、前後方向にスライド可能に繋止できる、３本の菓子・食品缶や調味料・飲料瓶などを収容する二重壁式の贈答箱用の、組立てなどが簡単で作製費用が廉価な、板紙製や段ボール製などの仕切りであって、二重壁式の贈答箱に繋止した、緩衝効果が優れた上に体裁が良い、自立安定性が優れた贈答箱用の仕切りを提供することができる。
【図面の簡単な説明】
【図１】本発明の実施例１における、図１Ａは、贈答箱用の仕切りのブランクの平面図であって、また図１Ｂは、贈答箱用の仕切りと二重壁式の贈答箱４０との斜視図である。
【図２】本発明の実施例２における、図２Ａは、贈答箱用の仕切りのブランクの平面図であって、また図２Ｂは、贈答箱用の仕切りと二重壁式の贈答箱４０との斜視図である。
【図３】従来の、贈答箱用の仕切りの斜視図である。
【図４】本発明の実施例１における、３本の粉末コーヒー瓶を収容する二重壁式の贈答箱４０の、ブランクの一例を示す平面図である。
【符号の説明】
２０  …仕切り板
３０  …底繋ぎ板
３１  …横繋ぎ板
３２  …糊代片
４０  …二重壁式の贈答箱
４１  …左右の側面内板
ａ    …繋止突起
ｂ    …繋止切欠き
【図１】
0003809668.tif 000002
【図２】
0003809668.tif 000003
【図３】
0003809668.tif 000004
【図４】
0003809668.tif 000005